(57)【要約】【課題】画像データを処理する度にログ画像の生成を行なうことがない画像処理システム及び画像処理プログラムを提供する。【解決手段】ログ管理制御部４０は、印刷処理時に、ログ画像がＨＤＤ３８に無い場合は、ログ画像生成部４８でログ画像を生成し、画像データ格納先情報と、処理実行ログと、ログ画像データとの対応を示すログ管理情報をログ管理情報生成部４４で生成し、ＨＤＤ３８に格納するよう制御する。また、ログ画像が既に格納されている場合は、ログ画像は生成しないよう制御する。一方、スキャン処理時は、ログ画像をログ画像生成部４８で生成し、画像データ格納先情報と、処理実行ログと、ログ画像データとの対応を示すログ管理情報をログ管理情報生成部４４で生成し、ＨＤＤ３８に格納するよう制御する。【選択図】図２
2009134413.tif 000002
【特許請求の範囲】
【請求項１】
画像形成処理の処理内容を示す処理実行ログを生成する処理実行ログ生成手段と、
前記処理実行ログ生成手段により生成された処理実行ログを格納する処理実行ログ格納手段と、
前記画像形成処理により処理された画像の処理画像データを格納する処理画像データ格納手段と、
前記処理画像データの格納先を示す情報と前記処理実行ログ格納手段に格納された処理実行ログとの対応を示すログ管理情報を生成するログ管理情報生成手段と、
前記ログ管理情報生成手段により生成されたログ管理情報を蓄積するログ管理情報蓄積手段と、
前記画像形成処理が実行された処理画像データの副画像をログ画像として生成するログ画像生成手段と、
前記ログ画像生成手段により生成されたログ画像のログ画像データを格納するログ画像格納手段と、
前記処理画像データと同一の処理画像データに対してはログ画像を生成しないようログ画像生成手段を制御するログ管理制御手段と、
を備えたことを特徴とする画像処理システム。
【請求項２】
画像形成処理の処理内容を示す処理実行ログを生成する処理実行ログ生成手段と、
前記処理実行ログ生成手段により生成された処理実行ログを格納する処理実行ログ格納手段と、
前記画像形成処理により処理された画像の処理画像データを格納する処理画像データ格納手段と、
前記処理画像データの格納先を示す情報と前記処理実行ログ格納手段に格納された処理実行ログとの対応を示すログ管理情報を生成するログ管理情報生成手段と、
前記ログ管理情報生成手段により生成されたログ管理情報を蓄積するログ管理情報蓄積手段と、
前記画像形成処理が実行された処理画像データの副画像をログ画像として生成するログ画像生成手段と、
前記ログ画像生成手段により生成されたログ画像のログ画像データを格納するログ画像格納手段と、
前記画像データ格納手段に格納された処理画像データの削除及び変更を検知する検知手段と、
前記検知手段により処理画像データの削除が検知された場合、または、処理画像データの変更が検知された場合に、当該処理画像データに基づく画像の副画像をログ画像として生成するようログ画像生成手段を制御するログ管理制御手段と、
を備えたことを特徴とする画像処理システム。
【請求項３】
前記ログ管理情報生成手段は、前記ログ画像格納手段にログ画像のログ画像データが格納された場合に、当該ログ画像データの格納先を示す情報を前記ログ管理情報に付加することを特徴とする請求項１または請求項２に記載の画像処理システム。
【請求項４】
処理実行ログ生成手段により画像形成処理の処理内容を示す処理実行ログを生成するステップと、
処理実行ログ格納手段により前記処理実行ログ生成手段により生成された処理実行ログを格納するステップと、
処理画像データ格納手段により前記画像形成処理により処理された画像の処理画像データを格納するステップと、
ログ管理情報生成手段により前記処理画像データの格納先を示す情報と前記処理実行ログ格納手段に格納された処理実行ログとの対応を示すログ管理情報を生成するステップと、
ログ管理情報蓄積手段により前記ログ管理情報生成手段により生成されたログ管理情報を蓄積するステップと、
ログ画像生成手段により前記画像形成処理が実行された処理画像データの副画像をログ画像として生成するステップと、
ログ画像格納手段により前記ログ画像生成手段により生成されたログ画像のログ画像データを格納するステップと、
ログ管理制御手段により前記処理画像データと同一の処理画像データに対してはログ画像を生成しないようログ画像生成手段を制御するステップと、
を有する処理をコンピュータに実行させることを特徴とする画像処理プログラム。
【請求項５】
処理実行ログ生成手段により画像形成処理の処理内容を示す処理実行ログを生成するステップと、
処理実行ログ格納手段により前記処理実行ログ生成手段により生成された処理実行ログを格納するステップと、
処理画像データ格納手段により前記画像形成処理により処理された画像の処理画像データを格納するステップと、
ログ管理情報生成手段により前記処理画像データの格納先を示す情報と前記処理実行ログ格納手段に格納された処理実行ログとの対応を示すログ管理情報を生成するステップと、
ログ管理情報蓄積手段により前記ログ管理情報生成手段により生成されたログ管理情報を蓄積するステップと、
ログ画像生成手段により前記画像形成処理が実行された処理画像データの副画像をログ画像として生成するステップと、
ログ画像格納手段により前記ログ画像生成手段により生成されたログ画像のログ画像データを格納するステップと、
検知手段により前記処理画像データ格納手段に格納された処理画像データの削除及び変更を検知するステップと、
ログ管理制御手段により前記検知手段により処理画像データの削除が検知された場合、または、処理画像データの変更が検知された場合に、当該処理画像データに基づく画像の副画像をログ画像として生成するようログ画像生成手段を制御するステップと、
を有する処理をコンピュータに実行させることを特徴とする画像処理プログラム。
【発明の詳細な説明】
【技術分野】
【０００１】
本発明は、画像処理システム及び画像処理プログラムに関する。
【背景技術】
【０００２】
一般に、特定の場所に設置された比較的処理能力の高いサーバ用コンピュータ、プリンタ、スキャナ、複写装置、及びファクシミリ装置等の周辺機器を、居室等に設置された個々の利用者のクライアント端末にケーブルやネットワーク等を介して接続して利用することが行なわれている。このような利用形態を実現する画像処理システムとして、例えば、シンクライアントシステムが知られている。
【０００３】
このようなシステムにおいて、画像データに基づくイメージログ機能を用いて周辺機器を管理する技術が知られている。このような技術として、周辺機器の使用に関する各種情報及び仕様に係る画像データを使用履歴情報として取得して蓄積し、分析することにより使用履歴情報の画像データに基づいて周辺機器を管理する技術が知られている（例えば、特許文献１参照）。
【特許文献１】特開２００５−５７４９０号公報
【発明の開示】
【発明が解決しようとする課題】
【０００４】
本発明は、画像データを処理する度にログ画像の生成を行なうことがない画像処理システム及び画像処理プログラムを提供することを目的とする。
【課題を解決するための手段】
【０００５】
上記目的を達成するために、請求項１に記載の画像処理システムは、画像形成処理の処理内容を示す処理実行ログを生成する処理実行ログ生成手段と、前記処理実行ログ生成手段により生成された処理実行ログを格納する処理実行ログ格納手段と、前記画像形成処理により処理された画像の処理画像データを格納する処理画像データ格納手段と、前記処理画像データの格納先を示す情報と前記処理実行ログ格納手段に格納された処理実行ログとの対応を示すログ管理情報を生成するログ管理情報生成手段と、前記ログ管理情報生成手段により生成されたログ管理情報を蓄積するログ管理情報蓄積手段と、前記画像形成処理が実行された処理画像データの副画像をログ画像として生成するログ画像生成手段と、前記ログ画像生成手段により生成されたログ画像のログ画像データを格納するログ画像格納手段と、前記処理画像データと同一の処理画像データに対してはログ画像を生成しないようログ画像生成手段を制御するログ管理制御手段と、を備えたことを特徴とする。
【０００６】
請求項２に記載の画像処理システムは、画像形成処理の処理内容を示す処理実行ログを生成する処理実行ログ生成手段と、前記処理実行ログ生成手段により生成された処理実行ログを格納する処理実行ログ格納手段と、前記画像形成処理により処理された画像の処理画像データを格納する処理画像データ格納手段と、前記処理画像データの格納先を示す情報と前記処理実行ログ格納手段に格納された処理実行ログとの対応を示すログ管理情報を生成するログ管理情報生成手段と、前記ログ管理情報生成手段により生成されたログ管理情報を蓄積するログ管理情報蓄積手段と、前記画像形成処理が実行された処理画像データの副画像をログ画像として生成するログ画像生成手段と、前記ログ画像生成手段により生成されたログ画像のログ画像データを格納するログ画像格納手段と、前記処理画像データ格納手段に格納された処理画像データの削除及び変更を検知する検知手段と、前記検知手段により処理画像データの削除が検知された場合、または、処理画像データの変更が検知された場合に、当該処理画像データに基づく画像の副画像をログ画像として生成するようログ画像生成手段を制御するログ管理制御手段と、を備えたことを特徴とする。
【０００７】
請求項３に記載の画像処理システムは、請求項１または請求項２に記載の画像処理システムにおいて、前記ログ管理情報生成手段は、前記ログ画像格納手段にログ画像の画像データが格納された場合に、当該ログ画像の画像データの格納先を示す情報を前記ログ管理情報に付加することを特徴とする。
【０００８】
請求項４に記載の画像処理プログラムは、処理実行ログ生成手段により画像形成処理の処理内容を示す処理実行ログを生成するステップと、処理実行ログ格納手段により前記処理実行ログ生成手段により生成された処理実行ログを格納するステップと、処理画像データ格納手段により前記画像形成処理により処理された画像の処理画像データを格納するステップと、ログ管理情報生成手段により前記処理画像データの格納先を示す情報と前記処理実行ログ格納手段に格納された処理実行ログとの対応を示すログ管理情報を生成するステップと、ログ管理情報蓄積手段により前記ログ管理情報生成手段により生成されたログ管理情報を蓄積するステップと、ログ画像生成手段により前記画像形成処理が実行された処理画像データの副画像をログ画像として生成するステップと、ログ画像格納手段により前記ログ画像生成手段により生成されたログ画像のログ画像データを格納するステップと、ログ管理制御手段により前記処理画像データと同一の処理画像データに対してはログ画像を生成しないようログ画像生成手段を制御するステップと、を有する処理をコンピュータに実行させることを特徴とする。
【０００９】
請求項５に記載の画像処理プログラムは、処理実行ログ生成手段により画像形成処理の処理内容を示す処理実行ログを生成するステップと、処理実行ログ格納手段により前記処理実行ログ生成手段により生成された処理実行ログを格納するステップと、処理画像データ格納手段により前記画像形成処理により処理された画像の処理画像データを格納するステップと、ログ管理情報生成手段により前記処理画像データの格納先を示す情報と前記処理実行ログ格納手段に格納された処理実行ログとの対応を示すログ管理情報を生成するステップと、ログ管理情報蓄積手段により前記ログ管理情報生成手段により生成されたログ管理情報を蓄積するステップと、ログ画像生成手段により前記画像形成処理が実行された処理画像データの副画像をログ画像として生成するステップと、ログ画像格納手段により前記ログ画像生成手段により生成されたログ画像のログ画像データを格納するステップと、検知手段により前記処理画像データ格納手段に格納された処理画像データの削除及び変更を検知するステップと、ログ管理制御手段により前記検知手段により処理画像データの削除が検知された場合、または、処理画像データの変更が検知された場合に、当処理該画像データに基づく画像の副画像をログ画像として生成するようログ画像生成手段を制御するステップと、を有する処理をコンピュータに実行させることを特徴とする。
【発明の効果】
【００１０】
請求項１に記載の画像処理システムによれば、ログ画像が既に生成されている処理画像データに対しては、ログ画像の生成を行なわない、という効果が得られる。
【００１１】
請求項２に記載の画像処理システムによれば、処理画像データの削除または変更が行なわれた場合にログ画像の生成を行なう、という効果が得られる。
【００１２】
請求項３に記載の画像処理システムによれば、処理画像データ、処理実行ログ、及びログ画像の管理をログ管理情報により行なうことができる、という効果が得られる。
【００１３】
請求項４に記載の画像処理プログラムによれば、ログ画像が既に生成されている処理画像データに対しては、ログ画像の生成を行なわない、という効果が得られる。
【００１４】
請求項５に記載の画像処理プログラムによれば、処理画像データの削除または変更が行なわれた場合にログ画像の生成を行なう、という効果が得られる。
【発明を実施するための最良の形態】
【００１５】
［第１の実施の形態］
以下、図１〜図１０を参照して本発明の実施の形態を詳細に説明する。なお、本実施の形態は、ログ画像が既に有る場合はログ画像を生成しないように、画像形成装置１８において画像の印刷または画像のスキャンを行なった場合に制御するものである。
【００１６】
図１は、本実施の形態に係る画像処理システム１０の概略構成の一例を示す概略図である。なお、本実施の形態では画像処理システムを、シンクライアントシステム等のサーバ側のコンピュータで集中管理を行ない、当該サーバとネットワークを介してクライアント端末や画像形成装置が接続された画像処理システムとして構成している。
【００１７】
図１に示すように、本実施の形態に係る画像処理システム１０は、ログ管理サーバ１２、データサーバ１４、その他サーバ１５、クライアント端末１６、画像形成装置１８、及びＬＡＮ（ローカルエリアネットワーク）等のネットワーク２０とで構成されており、ログ管理サーバ１２、データサーバ１４、その他サーバ１５、クライアント端末１６、及び画像形成装置１８は、ネットワーク２０を介して相互に接続されている。
【００１８】
ログ管理サーバ１２は、処理実行ログ（詳細後述）、ログ画像（詳細後述）、及びログ管理情報（詳細後述）等を管理するためのサーバである。図２はログ管理サーバ１２の一例を示す概略構成の機能ブロック図である。
【００１９】
ログ管理サーバ１２は、ユーザＩ／Ｆ（インターフェイス）３０、操作／表示装置３１、ＣＰＵ３２、ＲＯＭ３４、ＲＡＭ３６、ＨＤＤ（格納部）３８、ログ管理制御部４０、処理実行ログ生成部４２、ログ管理情報生成部４４、画像データ削除／変更検知部４６、ログ画像生成部４８、及びネットワークＩ／Ｆ（インターフェイス）５０を備えている。
【００２０】
ユーザＩ／Ｆ３０は操作／表示装置３１を介して、ユーザ（クライアント）とログ管理に関する情報等の授受を行なうためのものである。操作／表示装置３１の具体的な一例としては、ディスプレイ、マウス、キーボード等が挙げられるがこれに限らない。
【００２１】
ＣＰＵ３２は、ログ管理サーバ１２の全体を制御するものであり、各種プログラムが実行される。ＲＯＭ３４は、各種プログラムやパラメータ等が記憶されており、ＲＡＭ３６は、ＣＰＵ３２による各種プログラムの実行時におけるワークエリア等として用いられる。
【００２２】
ＨＤＤ（格納部）３８は、詳細を後述するログ管理処理のプログラム（画像処理プログラム）や、ログ管理情報（詳細後述）、処理実行ログ（詳細後述）、及びログ画像（詳細後述）等を記憶するものである。なお、画像処理プログラムは、ＣＤ−ＲＯＭ（図示省略）や、ＤＶＤ−ＲＯＭ（図示省略）等の記録媒体に記録しておき、ＨＤＤ３８等にインストールし、ＣＰＵ３２により読込まれて実行されるようにしてもよい。
【００２３】
ログ管理制御部４２は、画像処理システム１０において行なわれる画像処理の際に生成されるログの管理制御をログ管理処理プログラムに基づいて行なうものである。処理実行ログ生成部４２は、ログ管理制御部４０の指示に基づいて、画像形成処理に関する情報を表す処理実行ログを生成するものである。ログ管理情報生成部４４は、ログ管理制御部４０の指示に基づいて、処理実行ログやログ画像等を管理するためのログ管理情報を生成するものである。画像データ削除／変更検知部４６は、データサーバ１４に格納されている画像データの削除や変更を検知するものである。ログ画像生成部４８は、ログ管理制御部４０の指示に基づいて、画像データに基づく画像の縮小画像（副画像）をログ画像として生成するものである。なお、本実施の形態では、ログ画像として縮小画像を生成しているがこれに限らず、例えば、画像データに基づく画像と等倍の画像や、拡大画像等であってもよい。
【００２４】
ネットワークＩ／Ｆ５０は、ネットワーク２０と接続するためのネットワークインターフェイスである。
【００２５】
ユーザＩ／Ｆ３０、操作／表示装置３１、ＣＰＵ３２、ＲＯＭ３４、ＲＡＭ３６、ＨＤＤ（格納部）３８、ログ管理制御部４０、処理実行ログ生成部４２、ログ管理情報生成部４４、画像データ削除／変更検知部４６、ログ画像生成部４８、及びネットワークＩ／Ｆ５０は、コントロールバスやデータバス等のバス５２を介して、互いに情報等の授受が可能に接続されている。
【００２６】
データサーバ１４は、クライアント端末１６で形成された画像や、画像形成装置１８で形成された画像の画像データ等、各種データ類を格納するためのサーバである。図３はデータサーバ１４の一例の概略構成を示す機能ブロック図である。
【００２７】
データサーバ１４は、ユーザＩ／Ｆ（インターフェイス）６０、操作／表示装置６１、ＣＰＵ６２、ＲＯＭ６４、ＲＡＭ６６、ＨＤＤ（格納部）６８、及びネットワークＩ／Ｆ（インターフェイス）６７を備えている。
【００２８】
ユーザＩ／Ｆ６０は操作／表示装置６１を介して、ユーザ（クライアント）と画像データ等のデータや情報の授受を行なうためのものである。操作／表示装置６１の具体的な一例としては、ディスプレイ、マウス、キーボード等が挙げられるがこれに限らない。
【００２９】
ＣＰＵ６２は、データサーバ１４の全体を制御するものであり、各種プログラムが実行される。ＲＯＭ６４は、各種プログラムやパラメータ等が記憶されており、ＲＡＭ６６は、ＣＰＵ６２による各種プログラムの実行時におけるワークエリア等として用いられる。ＨＤＤ（格納部）６８は、画像データ等を記憶するものである。ネットワークＩ／Ｆ６７は、ネットワーク２０と接続するためのネットワークインターフェイスである。
【００３０】
ユーザＩ／Ｆ６０、操作／表示装置６１、ＣＰＵ６２、ＲＯＭ６４、ＲＡＭ６６、ＨＤＤ（格納部）６８、及びネットワークＩ／Ｆ６７は、コントロールバスやデータバス等のバス６９を介して、互いに情報等の授受が可能に接続されている。
【００３１】
その他サーバ１５は、画像処理システム１０において、その他のシステム管理を行なうためのサーバやその他データを格納するためのデータサーバ等であるが、本発明においては必須の構成ではない。
【００３２】
クライアント端末１６は、ユーザが画像や文書等を形成したり、画像形成装置１８に形成した画像の印刷の指示等をするためのサーバである。図４はクライアント端末１６の一例の概略構成を示す機能ブロック図である。
【００３３】
クライアント端末１６は、ユーザＩ／Ｆ（インターフェイス）７０、操作／表示装置７１、ＣＰＵ７２、ＲＯＭ７４、ＲＡＭ７６、及びネットワークＩ／Ｆ（インターフェイス）７７を備えている。
【００３４】
ユーザＩ／Ｆ７０は操作／表示装置７１を介して、ユーザ（クライアント）と画像形成に関する指示や各種情報等の授受を行なったりするためのものである。ユーザは、操作／表示装置７１により、画像（文書含）等の形成や、形成した画像の印刷の指示等を行なう。操作／表示装置７１の具体的な一例としては、ディスプレイ、マウス、キーボード等が挙げられるがこれに限らない。
【００３５】
ＣＰＵ７２は、クライアント端末１６の全体を制御するものであり、各種プログラムが実行される。ＲＯＭ７４は、各種プログラムやパラメータ等が記憶されており、ＲＡＭ７６は、ＣＰＵ７２による各種プログラムの実行時におけるワークエリア等として用いられる。ネットワークＩ／Ｆ７７は、ネットワーク２０と接続するためのネットワークインターフェイスである。
【００３６】
ユーザＩ／Ｆ７０、操作／表示装置７１、ＣＰＵ７２、ＲＯＭ７４、ＲＡＭ７６、及びネットワークＩ／Ｆ７７は、コントロールバスやデータバス等のバス７９を介して、互いに情報等の授受が可能に接続されている。
【００３７】
画像形成装置１８は、クライアント端末１６で形成された画像の印刷や、画像の読取り（スキャン）を行なう等の複数の機能を有する画像形成装置である。なお、本実施の形態では、印刷及び読取り（スキャン）機能についてのみ説明するが、その他の例えば、ＦＡＸ等の機能を備えていても良い。図５は画像形成装置１８の一例の概略構成を示す機能ブロック図である。
【００３８】
画像形成装置１８は、ユーザＩ／Ｆ（インターフェイス）８０、操作／表示装置８１、ＣＰＵ８２、ＲＯＭ８４、ＲＡＭ８６、ＨＤＤ（格納部）８８、画像形成部９０、画像読取部９２、及びネットワークＩ／Ｆ（インターフェイス）８７を備えている。
【００３９】
ユーザＩ／Ｆ８０は操作／表示装置８１を介して、ユーザ（クライアント）と画像形成に関する設定や各種情報等の授受を行なうためのものである。操作／表示装置８１の具体的な一例としては、タッチパネルやディスプレイ等が挙げられるがこれに限らない。
【００４０】
ＣＰＵ８２は、画像形成装置１８の全体を制御するものであり、各種プログラムが実行される。ＲＯＭ８４は、各種プログラムやパラメータ等が記憶されており、ＲＡＭ８６は、ＣＰＵ８２による各種プログラムの実行時におけるワークエリア等として用いられる。ＨＤＤ（格納部）８８は、各種情報や印刷設定等を記憶するものである。
【００４１】
画像形成部９０は、画像データに基づく画像を記録媒体上に形成（印刷）するためのものであり、画像読取部９２は、記録媒体上等に形成されている画像を読取って、画像データを生成するためのものである。
【００４２】
ネットワークＩ／Ｆ８７は、ネットワーク２０と接続するためのネットワークインターフェイスである。
【００４３】
ユーザＩ／Ｆ８０、操作／表示装置８１、ＣＰＵ８２、ＲＯＭ８４、ＲＡＭ８６、ＨＤＤ（格納部）８８、画像形成部９０、画像読取部９２、及びネットワークＩ／Ｆ８７は、コントロールバスやデータバス等のバス８９を介して、互いに情報等の授受が可能に接続されている。
【００４４】
なお、本実施の形態の画像処理システム１０では、ログ管理サーバ１２とデータサーバ１４とを別個のコンピュータとして構成しているがこれに限らず、１個のコンピュータにログ管理サーバ１２とデータサーバ１４との機能を持たせるように構成しても良い。また、処理実行ログ生成部４２及びログ画像生成部４８をログ管理サーバ１２に設けているがこれに限らず、例えば、画像形成装置１８等、他の装置やサーバに設けるように構成しても良い。またさらに、本実施の形態の画像処理システム１０では、画像データをデータサーバ１４のＨＤＤ６８に格納し、当該画像データに対応するログ画像の画像データをログ管理サーバ１２のＨＤＤ３８に格納しているがこれに限らず、同一箇所、例えばデータサーバ１４のＨＤＤ６８に格納しても良い。
【００４５】
次に、本実施の形態の画像処理システム１０で実行される画像処理におけるログ管理処理について図６〜図１０を参照して詳細に説明する。なお、本実施の形態では、一例として、画像Ａに関して処理を行なった場合について詳細に説明する。また、請求項に記載の処理画像データは、本実施の形態では画像Ａの画像データ（図８の画像データ１００、詳細後述）に相当しており、印刷画像データ、スキャン画像データ等であり、さらに、文書データも含むものである。
【００４６】
（メイン処理）
まず、図６を参照して、本実施の形態に係る画像処理システム１０で実行されるログ管理処理のメイン処理について詳細に説明する。図６は、ログ管理処理のメイン処理の一例を示すフローチャートである。なお、本処理は、ログ管理サーバ１２のログ管理制御部４０により実行される。
【００４７】
まず、ステップ２００では、画像システム１０に画像形成に関する指示入力が有ったか否かを判断する。指示入力が無い場合は否定されて、待機状態になる。一方、例えば、ユーザがクライアント端末１６の操作／表示装置７１により画像形成に関する指示を行なった場合はネットワーク２０を介して当該指示が入力されるため、指示入力有の場合となり肯定されて、ステップ２０２へ進む。
【００４８】
ステップ２０２では、入力された指示が画像データの削除又は変更であるか否かを判断する。例えば、データサーバ１４に格納されている画像データの削除や変更が指示されたことを画像データ削除／変更検知部４６で検知した場合は肯定されて、ステップ２０４へ進み、詳細を後述する削除／変更時処理を行なった後、ステップ２１６へ進む。なお、当該指示により、データサーバ１４では格納されている画像データの削除又は、変更が行なわれる。一方、画像データの削除又は変更以外の指示が入力された場合は否定されて、ステップ２０６へ進む。
【００４９】
ステップ２０６では、入力された指示が画像形成装置１８に印刷を指示するものであるか否かを判断する。印刷以外の指示である場合は否定されて、ステップ２１０へ進む。ステップ２１０では、入力された指示が画像形成装置１８に画像のスキャン（読取）を指示するものであるか否かを判断する。スキャン以外の指示である場合は否定されて、ステップ２１４へ進み、ステップ２１４ではその他指示時の処理を行なった後、ステップ２１６へ進む。ステップ２１４におけるその他指示時の処理とは、例えば、画像データの格納等の指示の際に行なう処理であり、処理実行ログの生成等予め定めておいた処理であるが、本実施の形態においては、画像形成装置１８において印刷を行なった場合及びスキャンを行なった場合を一例として説明しているため、その他処理の場合については詳細な説明は省略する。
【００５０】
一方、ステップ２１０で入力された指示が画像Ａのスキャンであった場合は肯定されて、ステップ２１２へ進み、詳細を後述するスキャン時処理を行なった後、ステップ２１２へ進む。
【００５１】
また、ステップ２０６で入力された指示が画像Ａの印刷であった場合は肯定されて、ステップ２０８へ進み、詳細を後述する印刷時処理を行なった後、ステップ２１６へ進む。
【００５２】
ステップ２１６では、ログ管理処理を終了するか否かを判断する。終了しない場合は否定されて、ステップ２００に戻り、本処理を繰り返す。一方、例えば、画像処理システム１０の稼働を停止させる場合等は肯定されて、本処理を終了する。
【００５３】
（印刷時処理）
次に、印刷時処理（図６に示すメイン処理のステップ２０８の処理）について図７及び図８を参照して詳細に説明する。なお、本処理は印刷指示が入力された場合に行なわれる処理であり、画像形成装置１８の画像形成部９０では当該印刷指示に基づいて画像データに基づく画像Ａの印刷（画像形成）が実行される。
【００５４】
図７は印刷時処理の一例を示すフローチャートである。ステップ３００では、処理実行ログを生成するよう処理実行ログ生成部４２に指示する。処理実行ログとは、印刷処理に関する情報を表すログであり、例えば、ユーザ名称（クライアント端末１６のアドレス）、時間、及び印刷処理内容等を表すものである。当該指示により処理実行ログ生成部４２は、入力された印刷指示に関するログを生成する。
【００５５】
次のステップ３０２では、生成された処理実行ログをＨＤＤ３８に格納するよう指示し、次のステップ３０４へ進む。
【００５６】
次のステップ３０４では、ログ管理情報がＨＤＤ３８に格納されているか否かを判断する。ここで、本実施の形態におけるログ管理情報の一例について図８を参照して詳細に説明する。図８は本実施の形態におけるログ管理情報の一例を画像Ａに対するログ管理情報として説明するための説明図である。
【００５７】
ログ管理情報１１０は画像Ａ（画像データ１００）に関するログ管理情報１１０を示している。ログ管理情報１１０は、画像Ａの画像データ１００の格納先を表す画像データ格納先情報１１２、処理実行ログ１１４、１１５、１１６、及び画像Ａの縮小画像であるログ画像Ａ（ログ画像データ１１８）を含んでいる。画像データ格納先情報１１２は、一例として本実施の形態ではデータサーバ１４のＨＤＤ６８のアドレスとしている。なお、画像データ１００の格納先情報１１２に代わって、画像データ１００そのものであっても良い。
【００５８】
処理実行ログ１１４〜１１６は、画像Ａの印刷またはスキャン等により生成された処理実行ログである。なお、本実施の形態では、印刷、スキャン、画像データの削除、及び変更が行なわれた場合に処理実行ログを生成する場合を示しているがこれに限らず、例えば、クライアント端末１６で画像Ａの形成時、画像Ａ（画像データ１００）の格納時、及び画像Ａの閲覧時等にも処理実行ログを生成するようにしてもよい。
【００５９】
また、ログ管理情報１１０では処理実行ログが３つの場合を示しているが、これに限らず、ログ管理情報１１０には、画像Ａに関して生成された処理実行ログが全て含まれる。また、本実施の形態では処理実行ログそのものが含まれる場合を示しているがこれに限らない。例えば、ログ管理情報１１０と処理実行ログ１１４〜１１６とが異なった格納部（ＨＤＤ）に格納されている場合は、ログ管理情報１１０には処理実行ログの格納先を示す情報が含まれるようにすれば良い。
【００６０】
ログ画像データ１１８は、画像Ａの縮小画像、例えばサムネイル画像等のログ画像の画像データである。本実施の形態ではログ画像データ１１８そのものが含まれる場合を示しているがこれに限らない。例えば、ログ管理情報１１０とログ画像データ１１８とが異なった格納部（ＨＤＤ）に格納されている場合は、ログ管理情報１１０にはログ画像データ１１８の格納先を示す情報が含まれるようにすれば良い。
【００６１】
このように本実施の形態では、ログ管理情報１１０にログ画像Ａ（ログ画像データ１１８）が含まれるので、ログ管理情報１１０が有るか否かにより画像Ａのログ画像Ａの有無を判断している。即ち、ログ管理情報１１０が有る場合は、ログ画像Ａも有るものと判断している。なお、ログ画像Ａの有無の判断は、これに限らず、例えば、格納部（ＨＤＤ３８等）にログ画像が有るか否かを検索することにより行なっても良い。また、本実施の形態では、印刷、及びスキャンが行なわれた場合に、ログ画像Ａの有無を判断し、ログ画像が未だ無ければ生成する場合を示しているがこれに限らず、例えば、クライアント端末１６で画像Ａの形成時、画像データ１００の格納時、及び画像Ａの閲覧時等にもログ画像Ａの有無を判断し、判断結果に基づいてログ画像Ａの生成を行なうようにしても良い。
【００６２】
従って、ステップ３０４ではログ管理情報１１０の有無を判断することによりログ画像Ａの有無を判断する。ログ管理情報１１０がＨＤＤ３８に有る場合、即ちログ画像Ａが有る場合は肯定されて、ステップ３０６へ進み、ステップ３０６では、ログ管理情報１１０に処理実行ログに関する情報を追加するようログ管理情報生成部４４に指示した後、本処理を終了する。当該指示により、ログ管理情報生成部４４は、ログ管理情報１１０に、格納した処理実行ログ又は処理実行ログの格納先の情報を追加する。
【００６３】
一方、ログ管理情報１１０がＨＤＤ３８に無い場合、即ちログ画像Ａも無い場合は否定されて、ステップ３０８へ進む。ステップ３０８では、印刷画像（画像Ａ）のログ画像Ａ（ログ画像データ１１８）を生成するようログ画像生成部４８に指示し、次のステップ３１０では、生成されたログ画像データ１１８を格納するよう指示する。これにより、ログ画像生成部４８はログ画像データ１１８を生成し、ＨＤＤ３８に格納する。
【００６４】
次のステップ３１２では、印刷画像（画像Ａ）の画像データ格納先情報１１２を生成するようログ管理情報生成部４４に指示する。さらに次のステップ３１４では、ログ管理情報１１０を生成するようログ管理情報生成部４４に指示し、次のステップ３１６では、生成したログ管理情報１１０を格納するよう指示した後、本処理を終了する。ログ管理情報生成部４４は、画像データ格納先情報１１２を生成し、さらに、画像データ格納先情報１１２、処理実行ログ、及びログ画像データ１１８を含んだログ管理情報１１０を生成してＨＤＤ３８に格納する。
【００６５】
（スキャン時処理）
次に、スキャン時処理（図６に示すメイン処理のステップ２１２の処理）について図９を参照して詳細に説明する。なお、本処理はスキャン指示が入力された場合に行なわれる処理であり、画像形成装置１８の画像読取部９２では当該スキャン指示に基づいて画像Ａのスキャンが実行され、画像データ１００が形成されてデータサーバ１４のＨＤＤ６８に格納される。
【００６６】
なお、画像Ａをスキャン処理することにより画像データ１００が形成されるため、本実施の形態では、スキャン処理以前には、画像データ１００及びログ画像データ１１８のいずれも無いものとみなして本処理を行なっている。
【００６７】
図９はスキャン時処理の一例を示すフローチャートである。ステップ４００では、処理実行ログを生成するよう処理実行ログ生成部４２に指示する。この場合、処理実行ログは、スキャン処理に関する情報を表すログであり、例えば、画像形成装置の名称（画像形成装置１８のアドレス）、時間、及びスキャン処理内容等を表すものである。当該指示により処理実行ログ生成部４２は、入力されたスキャン指示に関するログを生成する。
【００６８】
次のステップ４０２では、生成された処理実行ログをＨＤＤ３８に格納するよう指示し、ステップ４０４へ進む。ステップ４０４では、スキャン画像（画像Ａ）のログ画像Ａ（ログ画像データ１１８）を生成するようログ画像生成部４８に指示し、次のステップ４０６では、生成したログ画像データ１１８を格納するよう指示する。ログ画像生成部４８はログ画像データ１１８を生成し、ＨＤＤ３８に格納する。
【００６９】
次のステップ４０８では、スキャン画像（画像Ａ）の画像データ格納先情報１１２を生成するようログ管理情報生成部４４に指示する。さらに次のステップ４１０では、ログ管理情報１１０を生成するようログ管理情報生成部４４に指示し、次のステップ４１２では、生成したログ管理情報１１０を格納するよう指示した後、本処理を終了する。ログ管理情報生成部４４は、画像データ格納先情報１１２を生成し、さらに、画像データ格納先情報１１２、処理実行ログ、及びログ画像データ１１８を含んだログ管理情報１１０を生成してＨＤＤ３８に格納する。
【００７０】
（削除／変更時処理）
次に、削除／変更時処理（図６に示すメイン処理のステップ２０４の処理）について図１０を参照して詳細に説明する。なお、本処理は画像データの削除又は変更が画像データ削除／変更検知部４６で検知された場合に行なわれる処理であり、本実施の形態では、データサーバ１４のＨＤＤ６８に格納されている画像データの削除又は変更が生じた場合に行なわれる。
【００７１】
図１０は削除／変更時処理の一例を示すフローチャートである。ステップ５００では、処理実行ログを生成するよう処理実行ログ生成部４２に指示する。この場合、処理実行ログは、削除処理又は変更処理に関する情報を表すログであり、例えば、削除又は変更を行なったクライアント端末の名称（クライアント端末１６のアドレス）、時間、及び処理内容等を表すものである。当該指示により処理実行ログ生成部４２は、入力された削除指示又は変更指示に関するログを生成する。
【００７２】
次のステップ５０２では、生成された処理実行ログをＨＤＤ３８に格納するよう指示し、ステップ５０４へ進む。ステップ５０４では、ログ管理情報１１０に処理実行ログに関する情報を追加するようログ管理情報生成部４４に指示した後、本処理を終了する。当該指示により、ログ管理情報生成部４４は、ログ管理情報１１０に、格納した処理実行ログまたは処理実行ログの格納先の情報を追加する。
【００７３】
以上説明したように、本実施の形態では、ログ管理制御部４０は、画像の印刷処理時に、当該画像のログ画像がＨＤＤ３８に格納されていない場合は、ログ画像生成部４８でログ画像を生成してＨＤＤ３８に格納し、画像データ格納先情報と、処理実行ログ生成部４２で生成した処理実行ログと、ログ画像データとの対応を示すログ管理情報をログ管理情報生成部４４で生成し、ＨＤＤ３８に格納するよう制御する。また、ログ画像が既に格納されている場合は、ログ画像は生成せずに、ログ管理情報生成部４４により処理実行ログをログ管理情報に追加するよう制御する。
【００７４】
一方、ログ管理制御部４０は、画像のスキャン処理時は、当該画像のログ画像をログ画像生成部４８で生成してＨＤＤ３８に格納し、画像データ格納先情報と、処理実行ログ生成部４２で生成した処理実行ログと、ログ画像データとの対応を示すログ管理情報をログ管理情報生成部４４で生成し、ＨＤＤ３８に格納するよう制御する。
［第２の実施の形態］
以下、図１１〜図１５を参照して本発明の実施の形態を詳細に説明する。なお、本実施の形態は、画像形成装置１８において、画像データの削除又は変更を行なった場合にログ画像を生成するものである。なお、画像データの削除又は変更以前に当該画像データに対するログ画像が所望の場合には、格納されている画像データに基づいてログ画像を生成すれば良い。
【００７５】
なお、本実施の形態は、第１の実施の形態と略同様の構成であるので、同一部分には、同一符号を付して詳細な説明は省略する。
【００７６】
本実施の形態に係る画像処理システム１０、ログ管理サーバ１２、データサーバ１４、クライアント端末１６、及び画像形成装置１８の概略構成は第１の実施の形態と略同様の構成であるので、ここでは説明を省略する。
【００７７】
本実施の形態の画像処理システム１０で実行される画像処理におけるログ管理処理について図１１〜図１５を参照して詳細に説明する。なお、本実施の形態に係る画像処理システム１０で実行されるログ管理処理のメイン処理については第１の実施の形態と略同様の処理なのでここでは説明を省略する。なお、本実施の形態では、一例として画像Ｂに関して処理を行なった場合について詳細に説明する。また、請求項に記載の処理画像データは、本実施の形態では画像Ｂの画像データ（図１４の画像データ１２０、詳細後述）に相当しており、印刷画像データ、スキャン画像データ等であり、さらに、文書データも含むものである。
【００７８】
（印刷時処理）
まず、印刷時処理（図６に示すメイン処理のステップ２０８の処理）について図１１及び図１４を参照して詳細に説明する。
【００７９】
図１１は印刷時処理の一例を示すフローチャートである。ステップ６００は第１の実施の形態の印刷時処理（図７）のステップ３００に、及びステップ６０２はステップ３０２に、それぞれ対応しているため、ここでは詳細な説明は省略する。
【００８０】
ステップ６０２の次のステップ６０４では、ログ管理情報１３０がＨＤＤ３８に格納されているか否かを判断する。ここで、本実施の形態におけるログ管理情報の一例について図１４（Ａ）を参照して詳細に説明する。図１４は本実施の形態におけるログ管理情報の一例を説明するための説明図であり、（Ａ）は画像Ｂの画像データがＨＤＤ６８に格納されているときのログ管理情報を示している。
【００８１】
ログ管理情報１３０は画像Ｂ（画像データ１２０）に関するログ管理情報１３０を示しており、ログ管理情報１３０は、画像Ｂの画像データ１２０の格納先を表す画像データ格納先情報１３２及び処理実行ログ１３４、１３６を含んでいる。画像データ格納先情報１３２は第１の実施の形態の画像データ格納先情報１１２に、及び処理実行ログ１３４、１３６は処理実行ログ１１４〜１１６にそれぞれ対応している。
【００８２】
このように本実施の形態では、画像データ１２０がＨＤＤ６８に格納されているときは、ログ画像Ｂが生成されていないため、ログ管理情報１３０にログ画像Ｂ（ログ画像データ１３８、図１４（Ｂ）参照）は含まれない。
【００８３】
ステップ６０４では、ログ管理情報１３０が有る場合は肯定されて、ステップ６０６へ進み、ログ管理情報１３０に処理実行ログに関する情報を追加するようログ管理情報生成部４４に指示した後、本処理を終了する。なお、ステップ６０６は第１の実施の形態（図７）のステップ３０６に対応している。
【００８４】
一方、ログ管理情報１３０がＨＤＤ３８に無い場合は否定されて、ステップ６１２へ進み、印刷画像（画像Ｂ）の画像データ格納先情報１１２を生成するよう指示し、さらに次のステップ６１４では、ログ管理情報１３０を生成するよう指示し、次のステップ６１６では、生成したログ管理情報１３０を格納するよう指示した後、本処理を終了する。なお、ステップ６１２は第１の実施の形態（図７）のステップ３１２に、ステップ６１４はステップ３１４に、ステップ６１６はステップ３１６に、それぞれ対応している。
【００８５】
（スキャン時処理）
次に、スキャン時処理（図６に示すメイン処理のステップ２１２の処理）について図１２を参照して詳細に説明する。
【００８６】
図１２はスキャン時処理の一例を示すフローチャートである。
【００８７】
ステップ７００は第１の実施の形態のスキャン時処理（図９）のステップ４００に、ステップ７０２はステップ４０２に、ステップ７０８はステップ４０８に、ステップ７１０はステップ４１０に、及びステップ７１２はステップ４１２に、それぞれ対応しているため、ここでは詳細な説明は省略する。なお、本実施の形態では、第１の実施の形態のスキャン時処理と異なり、ログ画像Ｂを生成しないため、ステップ７１０の指示によりログ管理情報生成部４４で生成されるログ管理情報１３０にはログ画像Ｂは含まれない。本実施の形態では、ログ管理情報生成部４４は、画像データ格納先情報１３２を生成し、さらに、画像データ格納先情報１３２及び処理実行ログ１３４を含んだログ管理情報１３０を生成してＨＤＤ３８に格納する。
【００８８】
（削除／変更時処理）
次に、削除／変更時処理（図６に示すメイン処理のステップ２０４の処理）について図１３を参照して詳細に説明する。なお、本処理はデータサーバ１４のＨＤＤ６８に格納された画像データの削除又は変更が画像データ削除／変更検知部４６で検知された場合に行なわれる処理である。また、削除とは、画像Ｂの画像データ１２０がＨＤＤ６８から削除されることをいい、変更とは、画像Ｂを画像Ｃに変更（例えば、上書き）する場合であり、ＨＤＤ６８から画像Ｂの画像データが削除され、新たに画像Ｃが格納されることをいう。また、本実施の形態では、画像データの削除後も当該画像に対するログ管理情報は削除されずにＨＤＤ３８に格納された状態のままである。
【００８９】
図１３は削除／変更時処理の一例を示すフローチャートである。ステップ８００は第１の実施の形態の削除／変更時処理（図１１）のステップ５００に、及びステップ８０２はステップ５０２にそれぞれ対応しているため、ここでは詳細な説明は省略する。
【００９０】
ステップ８０２の次のステップ８０４では、削除又は変更を指示された画像Ｂの画像データ１２０からログ画像（ログ画像データ１３８）を生成するようログ画像生成部４８に指示し、次のステップ８０６では、生成されたログ画像Ｂの画像データ１３８を格納するよう指示する。これにより、ログ画像生成部４８は、ログ画像データ１３８を生成し、ＨＤＤ３８に格納する。
【００９１】
次のステップ８０８では、ログ管理情報１３０に処理実行ログに関する情報及びログ画像Ｂ（ログ画像データ１３８）を追加するようログ管理情報生成部４４に指示した後、本処理を終了する。
【００９２】
本実施の形態におけるログ管理情報１３０について図１４及び図１５を参照して詳細に説明する。まず、図１４を参照して、画像Ｂの削除を行なう場合について詳細に説明する。図１４（Ａ）は、画像ＢがＨＤＤ６８に格納されているときのログ管理情報１３０を示しており、（Ｂ）は、画像Ｂの削除後にＨＤＤ３８に格納されているログ管理情報１３０を示している。図１４（Ｂ）に示したように、本実施の形態では、ログ管理情報１３０には、画像データ１２０の格納先を表す画像データ格納先情報１３２、処理実行ログ１３４、１３６、及び画像データ１２０の削除時に生成されたログ画像Ｂのログ画像データ１３８が含まれる。なお、画像データ格納先情報１３２とは、一例として、画像データ１３８が削除された旨の情報としているが、これに限らない。また、画像データ格納先情報１３２をログ管理情報１３０から削除してしまっても良い。このように、ログ管理情報１３０には対応する画像Ｂの画像データ１２０がＨＤＤ６８から削除されるまではログ画像Ｂが生成されないので、ログ画像データ１３８が含まれない。
【００９３】
次に、図１５を参照して、画像Ｂを変更して画像Ｃとした場合について詳細に説明する。図１５（Ａ）は、図１４（Ａ）と同様であり、（Ｂ）は、画像Ｂが変更、即ち削除後にＨＤＤ３８に格納されているログ管理情報１３０及び画像Ｃに対応するログ管理情報１５０を示している。変更処理時は、画像データ１２０はＨＤＤ６８から削除され、ログ管理情報１３０はＨＤＤ３８に残存する。従って、図１５（Ｂ）に示すように、図１４（Ｂ）と同様に、ログ管理情報１３０には、画像データ格納先情報１３２、処理実行ログ１３４、１３６及びログ画像データ１３８が含まれる。
【００９４】
また、ＨＤＤ６８に格納された画像Ｃに対応して、図１５（Ｂ）に示す、画像データ１４０の格納先を表す画像データ格納先情報１５２と処理実行ログ１５４とを含んだログ管理情報１５０が生成され、ＨＤＤ３８に格納された状態になる。
【００９５】
以上説明したように、本実施の形態では、ログ管理制御部４０は、画像の削除時または変更を画像データ削除／変更検知部４６で検知した場合に、ログ画像生成部４８でログ画像を生成してＨＤＤ３８に格納し、画像データ格納先情報と、処理実行ログ生成部４２で生成した処理実行ログと、ログ画像データとの対応を示すログ管理情報をログ管理情報生成部４４で生成し、ＨＤＤ３８に格納するよう制御する。
【図面の簡単な説明】
【００９６】
【図１】本発明の第１の実施の形態に係る画像処理システムの概略構成の一例を示す概略図である。
【図２】本発明の第１の実施の形態に係るログ管理サーバの概略構成の一例を示す機能ブロック図である。
【図３】本発明の第１の実施の形態に係るデータサーバの概略構成の一例を示す機能ブロック図である。
【図４】本発明の第１の実施の形態に係るクライアント端末の概略構成の一例を示す機能ブロック図である。
【図５】本発明の第１の実施の形態に係る画像形成装置の概略構成の一例を示す機能ブロック図である。
【図６】本発明の第１の実施の形態に係るログ管理サーバのログ管理制御部で実行されるログ管理処理におけるメイン処理の一例を示すフローチャートである。
【図７】本発明の第１の実施の形態に係るログ管理制御部で実行されるログ管理処理における印刷時処理の一例を示すフローチャートである。
【図８】本発明の第１の実施の形態におけるログ管理情報の一例を説明するための説明図である。
【図９】本発明の第１の実施の形態に係るログ管理制御部で実行されるログ管理処理におけるスキャン時処理の一例を示すフローチャートである。
【図１０】本発明の第１の実施の形態に係るログ管理制御部で実行さえるログ管理処理における削除／変更時処理の一例を示すフローチャートである。
【図１１】本発明の第２の実施の形態に係るログ管理制御部で実行されるログ管理処理における印刷時処理の一例を示すフローチャートである。
【図１２】本発明の第２の実施の形態に係るログ管理制御部で実行されるログ管理処理におけるスキャン時処理の一例を示すフローチャートである。
【図１３】本発明の第２の実施の形態に係るログ管理制御部で実行されるログ管理処理における削除／変更時処理の一例を示すフローチャートである。
【図１４】本発明の第２の実施の形態において削除時処理を行なった場合のログ管理情報の一例を説明するための説明図であり、（Ａ）は画像Ｂが格納されているときのログ管理情報を示しており、（Ｂ）は画像Ｂの削除後に格納されているログ管理情報を示している。
【図１５】本発明の第２の実施の形態において変更時処理を行なった場合のログ管理情報の一例を説明するための説明図であり、（Ａ）は画像Ｂが格納されているときのログ管理情報を示しており、（Ｂ）は画像Ｂが変更（削除）後に格納されているログ管理情報及び画像Ｃに対応するログ管理情報を示している。
【符号の説明】
【００９７】
１０  画像処理システム
１２  ログ管理サーバ
１４  データサーバ
１６  クライアント端末
１８  画像形成装置
３８、６８、８８  ＨＤＤ（格納部）
４０  ログ管理制御部
４２  処理実行ログ生成部
４４  ログ管理情報生成部
４６  画像データ削除／変更検知部
４８  ログ画像生成部
【図１】
2009134413.tif 000003
【図２】
2009134413.tif 000004
【図３】
2009134413.tif 000005
【図４】
2009134413.tif 000006
【図５】
2009134413.tif 000007
【図６】
2009134413.tif 000008
【図７】
2009134413.tif 000009
【図８】
2009134413.tif 000010
【図９】
2009134413.tif 000011
【図１０】
2009134413.tif 000012
【図１１】
2009134413.tif 000013
【図１２】
2009134413.tif 000014
【図１３】
2009134413.tif 000015
【図１４】
2009134413.tif 000016
【図１５】
2009134413.tif 000017